Podtech/llm-jp-corpus-v4-ja_patent huggingface dataset:
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
５−ＨＴ２Ａアンタゴニストと、ノルエピネフリン−ドパミン再取り込み阻害剤と、オキシトシン受容体（ＯＸＴＲ）アゴニストと、任意成分として薬学的に許容される担体とを含む、組成物。
【請求項２】
オキシトシン受容体（ＯＸＴＲ）アゴニストと、任意成分として薬学的に許容される担体とを含む、組成物。
【請求項３】
５−ＨＴ２Ａアンタゴニストと、オキシトシン受容体（ＯＸＴＲ）アゴニストと、任意成分として薬学的に許容される担体とを含む、組成物。
【請求項４】
ノルエピネフリン−ドパミン再取り込み阻害剤と、オキシトシン受容体（ＯＸＴＲ）アゴニストと、任意成分として薬学的に許容される担体とを含む、組成物。
【請求項５】
フリバンセリンと、ブプロピオンと、任意成分として薬学的に許容される担体とを含む、組成物。
【請求項６】
前記５−ＨＴ２Ａアンタゴニストが５−ＨＴ１Ａ受容体アゴニストでもある、請求項１または３のいずれか１項に記載の組成物。
【請求項７】
トラゾドンと、ブプロピオンと、オキシトシンとを含む、請求項１に記載の組成物。
【請求項８】
トラゾドンとオキシトシンとを含む、請求項３に記載の組成物。
【請求項９】
ブプロピオンとオキシトシンとを含む、請求項４に記載の組成物。
【請求項１０】
用量範囲２００〜４５０ｍｇのブプロピオンを含む、請求項１または４のいずれか１項に記載の組成物。
【請求項１１】
用量範囲１〜４５０ｍｇのブプロピオンを含む、請求項５に記載の組成物。
【請求項１２】
用量範囲２５〜４５０ｍｇのトラゾドンを含む、請求項１または３のいずれか１項に記載の組成物。
【請求項１３】
用量範囲４〜４００国際単位のオキシトシンを含む、請求項１、３または４のいずれか１項に記載の組成物。
【請求項１４】
用量範囲１〜４５０ｍｇのトラゾドンと、用量範囲１〜４５０ｍｇのブプロピオンと、用量範囲４〜４００国際単位のオキシトシンとを含む、請求項１に記載の組成物。
【請求項１５】
用量範囲２５〜４５０ｍｇのトラゾドンと用量範囲４〜４００国際単位のオキシトシンとを含む、請求項３に記載の組成物。
【請求項１６】
用量範囲２００〜４５０ｍｇのブプロピオンと用量範囲４〜４００国際単位のオキシトシンとを含む、請求項４に記載の組成物。
【請求項１７】
用量範囲２５〜４５０ｍｇのフリバンセリンを含む、請求項５に記載の組成物。
【請求項１８】
用量範囲２５〜４５０ｍｇのフリバンセリンと用量範囲１〜４５０ｍｇのブプロピオンとを含む、請求項５に記載の組成物。
【請求項１９】
対象の性障害、対象の男性の性的能力不安、対象の精神疾患の診断・統計マニュアル（Ｄｉａｇｎｏｓｔｉｃ  ａｎｄ  Ｓｔａｔｉｓｔｉｃａｌ  Ｍａｎｕａｌ  ｏｆ  Ｍｅｎｔａｌ  Ｄｉｓｏｒｄｅｒｓ）（ＤＳＭ−ＩＶ）の障害、対象の勃起不全（ＥＤ）、対象の男性オルガスム障害（ＭＯＤ）、対象の認知障害からなる群より選択される１つを治療するために使用する、前記対象に投与するための請求項１〜１８のいずれか１項に記載の組成物。
【請求項２０】
前記性障害が性的欲求低下障害（ＨＳＤＤ）、女性オルガスム障害（ＦＯＤ）、女性の性的興奮障害（ＦＳＡＤ）、性交疼痛機能障害、男性ＨＳＤＤからなる群より選択される、請求項１９に記載の組成物。
【請求項２１】
前記認知障害が認知症、認識障害、認知発達障害、軽度認知低下からなる群より選択される、請求項１９に記載の組成物。
【請求項２２】
前記認知症が、アルツハイマー病、前頭側頭葉変性症、レビー小体型認知症、パーキンソン病、ハンチントン病、多発脳梗塞性認知症、中枢神経系を冒す感染症による認知症、慢性薬物使用による認知症、水頭症による認知症、脳損傷による認知症または脳腫瘍による認知症である、請求項２１に記載の組成物。
【請求項２３】
前記認識障害が統合失調症、統合失調感情障害、双極性障害または大うつ病である、請求項２１に記載の方法。
【請求項２４】
前記認知発達障害が自閉症、アスペルガー症候群または広汎性発達障害である、請求項２１に記載の方法。
【請求項２５】
対象の認知を強化するために使用する、前記対象に投与するための請求項１〜１８のいずれか１項に記載の組成物。
【請求項２６】
認知強化が、注意、知覚、学習、記憶、言語、計画、意思決定、組織化、概念化、再組織化、事実の統合、データの統合、想起、計算、時空間の可視化、精神的柔軟性、創造性または困難な知的もしくは文化的探求を受け入れる能力などの精神活動を向上させることである、請求項２５に記載の組成物。
【請求項２７】
経口投与に適する、請求項１〜２６のいずれか１項に記載の組成物。
【請求項２８】
局所投与に適する、請求項１〜２６のいずれか１項に記載の組成物。
【請求項２９】
前記対象がうつ病と診断され、その治療を受けている、請求項１９〜２８のいずれか１項に記載の組成物。
【請求項３０】
前記対象がうつ病の治療を受けていない、請求項１９〜２８のいずれか１項に記載の組成物。
【請求項３１】
５−ＨＴ２Ａアンタゴニストと、ノルエピネフリン−ドパミン再取り込み阻害剤と、オキシトシン受容体（ＯＸＴＲ）アゴニストと、薬学的に許容される担体とを含む、持続放出性組成物。
【請求項３２】
請求項１〜１８のいずれか１項に記載の組成物と、対象の性障害またはその症状の治療または改善、対象の男性の性的能力不安またはその症状の治療または改善、対象の認知障害またはその症状の治療または改善、対象の認知またはその症状の強化からなる群より選択される１つのために前記対象に前記組成物を投与するための指示を与えるラベルとを含む、キット。
【請求項３３】
５−ＨＴ２Ａアンタゴニストと、ノルエピネフリン−ドパミン再取り込み阻害剤と、オキシトシン受容体（ＯＸＴＲ）アゴニストと、薬学的に許容される担体とを含む、単回投与組成物。
【請求項３４】
５−ＨＴ２Ａアンタゴニストと、オキシトシン受容体（ＯＸＴＲ）アゴニストと、薬学的に許容される担体とを含む、持続放出性組成物。
【請求項３５】
５−ＨＴ２Ａアンタゴニストと、オキシトシン受容体（ＯＸＴＲ）アゴニストと、薬学的に許容される担体とを含む、単回投与組成物。
【請求項３６】
ノルエピネフリン−ドパミン再取り込み阻害剤と、オキシトシン受容体（ＯＸＴＲ）アゴニストと、薬学的に許容される担体とを含む、持続放出性組成物。
【請求項３７】
ノルエピネフリン−ドパミン再取り込み阻害剤と、オキシトシン受容体（ＯＸＴＲ）アゴニストと、薬学的に許容される担体とを含む、単回投与組成物。
【請求項３８】
フリバンセリンと、ブプロピオンと、薬学的に許容される担体とを含む、持続放出性組成物。
【請求項３９】
フリバンセリンと、ブプロピオンと、薬学的に許容される担体とを含む、単回投与組成物。
【請求項４０】
請求項１〜３９のいずれか１項に記載の組成物を作製するための、方法。
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
同時投与、個別投与又は逐次投与のための、
（ａ）式
【化１２】
2015524472.tif 000001
のＢ−Ｒａｆ阻害薬又は医薬として許容されるその塩、
（ｂ）ＥＧＦＲ阻害薬、及び場合によっては
（ｃ）ＰＩ３Ｋ−α阻害薬
を含む組合せ医薬。
【請求項２】
ＥＧＦＲ阻害薬が、エルロチニブ又はモノクローナル抗体である、請求項１に記載の組合せ医薬。
【請求項３】
ＥＧＦＲ阻害薬が、セツキシマブ及びパニツムマブからなる群から選択されるモノクローナル抗体である、請求項２に記載の組合せ医薬。
【請求項４】
ＥＧＦＲ阻害薬がセツキシマブである、請求項３に記載の組合せ医薬。
【請求項５】
ＰＩ３Ｋ阻害薬が、式Ｉ
【化１３】
2015524472.tif 000002
［式中、
Ａは、
【化１４】
2015524472.tif 000003
からなる群から選択されるヘテロアリールを表し、
Ｒ１は、以下の置換基：（１）非置換である又は置換されている、好ましくは置換されているＣ１〜Ｃ７−アルキル（ここで、前記置換基は、以下の部分：重水素、フルオロの１個若しくは複数、好ましくは１〜９個、又は以下の部分Ｃ３〜Ｃ５−シクロアルキルの１〜２個から独立して選択される）；（２）場合によって置換されているＣ３〜Ｃ５−シクロアルキル（前記置換基は、以下の部分：重水素、Ｃ１〜Ｃ４−アルキル（好ましくはメチル）、フルオロ、シアノ、アミノカルボニルの１個又は複数、好ましくは１〜４個から独立して選択される）；（３）場合によって置換されているフェニル（ここで、前記置換基は、以下の部分：重水素、ハロ、シアノ、Ｃ１〜Ｃ７−アルキル、Ｃ〜Ｃ７−アルキルアミノ、ジ（Ｃ１〜Ｃ７−アルキル）アミノ、Ｃ１〜Ｃ７−アルキルアミノカルボニル、ジ（Ｃ１〜Ｃ７−アルキル）アミノカルボニル、Ｃ１〜Ｃ７−アルコキシの１個又は複数、好ましくは１〜２個から独立して選択される）；（４）場合によって一置換又は二置換されているアミン（ここで、前記置換基は、以下の部分：重水素、Ｃ１〜Ｃ７−アルキル（これは、非置換であるか、又は重水素、フルオロ、クロロ、ヒドロキシからなる群から選択される１個若しくは複数の置換基で置換されている）、フェニルスルホニル（これは、非置換であるか、又は１個若しくは複数の、好ましくは１個のＣ１〜Ｃ７−アルキル、Ｃ１〜Ｃ７−アルコキシ、ジ（Ｃ１〜Ｃ７−アルキル）アミノ−Ｃ１〜Ｃ７−アルコキシで置換されている）から独立して選択される）；（５）置換されているスルホニル（ここで、前記置換基は、以下の部分：Ｃ１〜Ｃ７−アルキル（これは、非置換であるか、又は重水素、フルオロからなる群から選択される１個又は複数の置換基で置換されている）、ピロリジノ（これは、非置換であるか、又は重水素、ヒドロキシ、オキソからなる群から選択される１個又は複数の置換基、特に１個のオキソで置換されている）から選択される）；（６）フルオロ、クロロの１つを表し、
Ｒ２は、水素を表し、
Ｒ３は、（１）水素、（２）フルオロ、クロロ、（３）場合によって置換されているメチル（ここで、前記置換基は、以下の部分：重水素、フルオロ、クロロ、ジメチルアミノの１個又は複数、好ましくは１〜３個から独立して選択される）を表す］
の化合物であって、（Ｓ）−ピロリジン−１，２−ジカルボン酸２−アミド１−（｛５−［２−（ｔｅｒｔ−ブチル）−ピリミジン−４−イル］−４−メチル−チアゾール−２−イル｝−アミド）以外の化合物である、請求項１に記載の組合せ医薬。
【請求項６】
ＰＩ３Ｋ阻害薬が式
【化１５】
2015524472.tif 000004
の化合物又は医薬として許容されるその塩である、請求項５に記載の組合せ医薬。
【請求項７】
ＥＧＦＲ阻害薬がセツキシマブである、請求項６に記載の組合せ医薬。
【請求項８】
それを必要とする対象における増殖性疾患の治療に使用するための、請求項１に記載の組合せ医薬。
【請求項９】
増殖性疾患の治療用の医薬品の調製に使用するための、請求項１に記載の組合せ医薬。
【請求項１０】
増殖性疾患がＢ−Ｒａｆ変異を特徴とする、請求項９に記載の組合せ医薬。
【請求項１１】
Ｂ−Ｒａｆ変異がＶ６００変異である、請求項１０に記載の組合せ医薬。
【請求項１２】
増殖性疾患が結腸直腸がんである、請求項１１に記載の組合せ医薬。
【請求項１３】
増殖性疾患の治療用の医薬品の製造のための、請求項１に記載の組合せ医薬の使用。
【請求項１４】
ヒト患者における増殖性疾患の治療用の医薬品の製造のための、
（ａ）式
【化１６】
2015524472.tif 000005
のＢ−Ｒａｆ阻害薬又は医薬として許容されるその塩、
（ｂ）ＥＧＦＲ阻害薬、及び場合によっては
（ｃ）ＰＩ３Ｋ−α阻害薬
の使用であって、前記増殖性疾患がＢ−Ｒａｆ変異を特徴とする、使用。
【請求項１５】
Ｂ−Ｒａｆ変異がＶ６００変異である、請求項１４に記載の使用。
【請求項１６】
増殖性疾患が結腸直腸がんである、請求項１５に記載の使用。
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
マトリックスを使用して圧密化された繊維強化材を含む複合材料製のターボ機械ケーシング（１０）の製造方法（１００）であって、
−乾燥ガラス繊維編組体、乾燥ガラス繊維片、もしくは乾燥ガラス繊維撚合体から電解腐食保護層（２０）を作成して、電解腐食保護用の半硬質層を形成するステップ（１１０）、
−製造されるケーシング（１０）のプロファイルと一致するプロファイルを有し半径方向環状フランジ（３２）を含むマンドレル（３０）上に、マンドレル（３０）の半径方向環状フランジ（３２）に当てた状態で電解腐食保護層（２０）を配置するステップ（１２０）、
−電解腐食保護層（２０）を覆うようにマンドレル（３０）上に繊維強化材（１６）を成形するステップ（１４０）、および
−マトリックスを使用して繊維強化材（１６）を緻密化するステップ（１５０）
の連続ステップを含む製造方法（１００）。
【請求項２】
電解腐食保護層（２０）が、マンドレル（３０）および半径方向フランジ（３２）の寸法にプリフォームされる、請求項１に記載の製造方法（１００）。
【請求項３】
電解腐食保護層（２０）が、バインダを使用して強化される、請求項２に記載の製造方法（１００）。
【請求項４】
電解腐食保護層（２０）が、繊維強化材の成形時（１４０）に、マンドレル（３０）の半径方向環状フランジ（３２）に固定される保持部材（３４）によってマンドレル（３０）上の所定位置で保持される、請求項１〜請求項３のうちの一項に記載の製造方法（１００）。
【請求項５】
保持部材（３４）が、電解腐食保護層（２０）の厚さに調節可能である、請求項４に記載の製造方法（１００）。
【請求項６】
マトリックスによって圧密化された繊維強化材を含む複合材料製のターボ機械ケーシング（１０）にして、長手方向軸（Ｘ）に沿って延びる主方向を有する略円筒状本体（１２）と、本体（１２）の自由端から長手方向軸に対して半径方向に延びる少なくとも１つのフランジ（１４）とを含むターボ機械ケーシング（１０）であって、
環状フランジ（１４）の半径方向面（１４ａ）に対して位置決めされ、本体（１２）の内壁（１３）に沿って延びるガラス繊維を含む電解腐食保護層（２０）を含むこと、および請求項１〜請求項５のうちの一項に記載の方法（１００）によって製造されることを特徴とする、ターボ機械ケーシング（１０）。
【請求項７】
本体（１２）の上流側自由端および下流側自由端からそれぞれ長手方向軸（Ｘ）に対して半径方向に延びる上流側フランジ（１４）と下流側フランジ（１４）とを含み、上流側フランジ（１４）と下流側フランジ（１４）はそれぞれ、前記上流側フランジおよび前記下流側フランジ（１４）の半径方向面（１４ａ）に対して位置決めされ、本体（１２）の内壁（１３）に沿って延びる電解腐食保護層（２０）を含む、請求項６に記載のケーシング（１０）。
【請求項８】
電解腐食保護層（２０）がさらにバインダを含む、請求項６または請求項７のうちの一項に記載のケーシング（１０）。
【請求項９】
電解腐食保護層（２０）が、Ｌ字形断面を有し、フランジ（１４）の半径方向面（１４ａ）に対して位置決めされる半径方向環状部（２２）と、本体（１２）の内壁（１３）に対して位置決めされる軸方向環状部（２４）とを含む、請求項６〜請求項８のうちの一項に記載のケーシング（１０）。
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
溶接型電源において、
プリレギュレーター制御出力及び出力コンバーター制御出力を有するコントローラーと、
或る範囲の入力電圧を受取り、前記プリレギュレーター制御出力を受取り、プリレギュレーター出力信号を提供するように配設されるプリレギュレーターであって、複数の積層ブースト回路を含む、プリレギュレーターと、
前記プリレギュレーター出力信号を受取るように配設されるプリレギュレーターバスと、
前記プリレギュレーターバスを受取り、前記出力コンバーター制御出力を受取り、溶接型電力出力を提供するように配設される出力コンバーターであって、少なくとも１つの積層インバーター回路を含む出力コンバーターとを備える溶接型電源。
【請求項２】
溶接型電源において、
プリレギュレーター制御出力、出力コンバーター制御出力、バス電圧平衡化モジュールを有するコントローラーであって、前記プリレギュレーター制御出力は前記バス電圧平衡化モジュールに応答する、コントローラーと、
或る範囲の入力電圧を受取り、前記プリレギュレーター制御出力を受取り、プリレギュレーター出力信号を提供し、前記バス電圧平衡化モジュールにフィードバックを提供するように配設されるプリレギュレーターであって、少なくとも１つの積層ブースト回路を含む、プリレギュレーターと、
前記プリレギュレーター出力信号を受取るように配設されるプリレギュレーターバスと、
前記プリレギュレーターバスを受取り、前記出力コンバーター制御出力を受取り、溶接型電力出力を提供するように配設される出力コンバーターであって、少なくとも１つの積層インバーター回路を含む出力コンバーターとを備える溶接型電源。
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
燃料ノズルチップ、燃焼キャップ組立体及びトランジションピースからなる群から選択される部品の製造方法であって、
部品の母材金属を掘削して充填領域を形成するステップであって、充填領域が燃焼ゾーンを囲むとともに、１以上のディフューザを囲むように部品の表面に沿って複数の方向に延在するステップと、
充填領域を金属充填材で充填するステップと
を含んでおり、
金属充填材が、母材金属の母材金属伸び率よりも２５％以上大きい金属充填材伸び率を有しており、
金属充填材が、重量で、約０．００５％のＣ、０．１５０％のＭｎ、約０．００５％のＰ、約０．００２％のＳ、約０．０３％のＳｉ、約１５．５０％のＣｒ、約１６．０％のＭｏ、約３．５０％のＷ、約０．１５％のＶ、約０．１０％のＣｏ、約６．００％のＦｅ、残部のＮｉ及び不可避不純物という組成を有する、方法。
【請求項２】
充填が溶接による、請求項１記載の方法。
【請求項３】
溶接がガスタングステンアーク溶接である、請求項２記載の方法。
【請求項４】
溶接がＭＩＧ溶接である、請求項２記載の方法。
【請求項５】
溶接が摩擦溶接である、請求項２記載の方法。
【請求項６】
充填がろう付けによる、請求項１記載の方法。
【請求項７】
金属充填材が、溶体化焼鈍ミクロ組織を有する、請求項１記載の方法。
【請求項８】
金属充填材伸び率が、２インチ当たり約３５％超である、請求項１記載の方法。
【請求項９】
充填領域が、第１のゾーンと第２のゾーンとの間にあり、第１のゾーンが第２のゾーンよりも高温耐性である、請求項１記載の方法。
【請求項１０】
母材金属の掘削によって除去される領域が健全な材料である、請求項１記載の方法。
【請求項１１】
補修領域が母材金属の掘削によって除去され、補修領域が１以上の疲労特徴部を有する、請求項１記載の方法。
【請求項１２】
母材金属が鋳造金属である、請求項１記載の方法。
【請求項１３】
母材金属が熱間圧延金属である、請求項１記載の方法。
【請求項１４】
母材金属が、棒状金属である、請求項１記載の方法。
【請求項１５】
部品がガスタービン部品である、請求項１記載の方法。
【請求項１６】
部品がタービンエンジン部品である、請求項１記載の方法。
【請求項１７】
部品が燃料ノズルチップである、請求項１記載の方法。
【請求項１８】
部品が、ディフューザ部分と燃焼部分とを有するトランジションピースである、請求項１記載の方法。
【請求項１９】
燃料ノズルチップ、燃焼キャップ組立体及びトランジションピースからなる群から選択される部品の製造方法であって、
部品の母材金属を掘削して充填領域を形成するステップであって、充填領域が燃焼ゾーンを囲むとともに、１以上のディフューザを囲むように部品の表面に沿って複数の方向に延在するステップと、
充填領域を金属充填材で充填するステップと
を含んでおり、金属充填材が、母材金属の母材金属伸び率よりも２５％以上大きい金属充填材伸び率を有しており、金属充填材伸び率が、２インチ当たり約３５％超である、方法。
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
ターボ機械部品の製造用であり、視覚的特定可能糸（３）を含む複数の織り糸（９）の織りを含むプリフォーム（１）を、織り糸（９）が基準レイアウトを有するプリフォームモデルから計算された切断輪郭（５）に従って切断するための方法であって、
プリフォーム（１）の画像を撮影するステップと、
基準レイアウトに対する視覚的特定可能糸（３）のレイアウトにおけるずれを決定するように画像を処理するステップと、
前記ずれに応じて切断輪郭（５）を補正するステップと、
補正済み切断輪郭（１３）に従ってプリフォームを切断するステップと、
を含む方法。
【請求項２】
織り糸（９）が、プリフォーム（１）の縦軸に従って配置された糸と、プリフォーム（１）の横軸に従って配置された糸とを含み、
基準レイアウトは、これら縦糸がこれら横糸に対して直角に配置されたレイアウトである、請求項１に記載の方法。
【請求項３】
ターボ機械部品の製造用であり、視覚的特定可能糸（３）を含む複数の織り糸（９）の織りを含むプリフォーム（１）を切断機（４）によって切断するための方法であって、
前記切断機（４）は、切断輪郭（５）に従ったプリフォーム（１）の切断を行うために調整され、
プリフォーム（１）の画像を撮影するステップと、
プリフォーム（１）の織りにおける少なくとも１つの基準点（８）を特定するように画像を処理するステップであり、切断機（４）は、この基準点（８）の特定からプリフォーム（１）に対する切断機の位置を自動的に補正する、ステップと、
切断輪郭（５）に従ってプリフォーム（１）を切断するステップと、
を含む方法。
【請求項４】
基準点（８）が、視覚的特定可能糸（３）の交点に対応する、請求項３に記載の方法。
【請求項５】
ターボ機械部品の製造用であり、視覚的特定可能糸（３）を含む複数の織り糸（９）の織りを含むプリフォーム（１）を切断機（４）によって切断するための方法であって、
前記切断機（４）は、切断輪郭（５）に従ったプリフォーム（１）の切断を行うために調整され、切断輪郭の形状は、織り糸（９）が基準レイアウトを有すると想定して計算され、
請求項３または４のいずれか一項に記載のステップに従って、プリフォーム（１）に対する切断機（４）の位置決めを自動的に補正するステップと、
請求項１または２のいずれか一項に記載のステップに従って、切断輪郭（５）を補正するステップと、
を含む方法。
【請求項６】
ターボ機械部品を製造するための方法にして、プリフォームはこの部品から切り抜かれる方法であって、このプリフォームの切断は請求項１から５のいずれか一項に記載の方法に従って実施され、前記部品は、羽根、ファンプラットフォーム、ウェッジ、ノズル案内羽根、またはプロペラから選択されることを特徴とする、方法。
【請求項７】
プリフォーム（１）の切断システム（１２）であって、
プリフォーム（１）の切断機（４）と、
プリフォーム（１）の予備計算済み切断輪郭（５）が記録されたメモリ（１３）と、
プリフォーム（１）の撮像装置（１０）と、
切断機（４）および撮像装置（１０）が請求項１から６のいずれか一項に記載の切断方法を実行するように、切断機および撮像装置を制御するように構成された処理ユニット（１１）と、
を備えることを特徴とする切断システム。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
ハイポチューブを受け入れるよう構成された内腔を形成する細長い軸を有し、前記内腔が前記カテーテルの外側の側壁の遠位開口部で終了するカテーテルと、
前記内腔内に摺動可能に受け入れられ、鋭くした遠位先端部を有し、かつ前記カテーテルに対して前記遠位先端部が前記内腔内に完全に収容される引っ込められた状態と、及び前記遠位先端部が前記遠位開口部から突出する進められた状態とを有するよう構成されるハイポチューブと、
前記カテーテルに対して外側に伸びる位置決めワイヤであって、前記カテーテルに対して、各位置決めワイヤが前記カテーテルの外壁に対して畳まれた、血管内送達用の拡張していない状態と、及び各位置決めワイヤが前記細長い軸から放射状に伸長する仮想平面に沿って前記カテーテルから離れて屈曲して、血管内で前記カテーテルの位置決め用の拡張状態とを有するよう構成され、屈曲した位置決めワイヤにより占拠された仮想的な放射平面は前記細長い軸の周囲に１８０°以下の円弧角の範囲で全て収容される、位置決めワイヤと、及び
前記カテーテルの内腔内に摺動可能に受け入れられる引張構成要素であって、各位置決めワイヤの遠位端が引張構成要素と接続され、それによって引張構成要素の近位移動が前記位置決めワイヤを屈曲させて前記拡張状態をとり、前記引張構成要素がガイドワイヤを受け入れるように内腔を形成する、引張構成要素と、
を備える血管内処置用システムであって、
前記拡張状態の前記屈曲した位置決めワイヤは、前記円弧角が前記遠位開口部の位置に正反対となる位置に中心を有するように前記カテーテルに対して位置つけられる、
血管内処置用システム。
【請求項２】
軸圧縮力を受けて各位置決めワイヤを取り付けるための手段であって、それによって前記各位置決めワイヤが前記拡張状態で前記カテーテルから離れて屈曲する、手段を更に備える、請求項１に記載のシステム。
【請求項３】
前記軸圧縮力を受けて各位置決めワイヤを取り付けるための手段は、各位置決めワイヤの遠位端に取り付けられる引張構成要素を更に備え、前記引張構成要素は、前記カテーテルに対して近位移動するように構成される、請求項２に記載のシステム。
【請求項４】
前記ハイポチューブを前記引っ込められた状態から遠位に前記進められた状態に移動する手段をさらに備える、請求項１に記載のシステム。
【請求項５】
前記ハイポチューブを前記引っ込められた状態から遠位に前記進められた状態に移動する手段が、ラックおよびピニオンを含む、請求項４に記載のシステム。
【請求項６】
前記複数の位置決めワイヤが合計４本である、請求項１に記載のシステム。
【請求項７】
前記カテーテルを通って伸長する複数の位置決め内腔を更に備え、前記位置決めワイヤの長さの少なくとも一部に対して前記位置決め内腔を通って前記位置決めワイヤが伸長する、請求項１に記載のシステム。
【請求項８】
前記位置決めワイヤによって占拠された仮想的な放射平面が前記細長い軸の周囲に１２０°以下の円弧角の範囲内で全て収容される、請求項１に記載のシステム。
【請求項９】
第一の長さについて、前記位置決めワイヤは前記カテーテルに外側に伸長しており、前記遠位開口部は、前記第一の長さに沿って実質的に中間点で位置付される、請求項１に記載のシステム。
【手続補正書】
【提出日】平成27年11月11日(2015.11.11)
【手続補正１】
【補正対象書類名】特許請求の範囲
【補正対象項目名】請求項１
【補正方法】変更
【補正の内容】
【請求項１】
複数のリンク部材であって、各リンク部材は、
一対の脚部であって各脚部は遠位端に第１の開口および近位端に第２の開口を有している一対の脚部、および、
前記一対の脚部の間で水平に配置されるとともに前記遠位端においてそれらの脚部を接続する接続部であって、前記一対の脚部の前記近位端の方に面している第１の表面を有し、該第１の表面は、湾曲した受け面、第１の側面、および第２の側面を具備し、前記湾曲した受け面は第１および第２の前記側面の間で垂直に配置されている、接続部、
を有している、複数のリンク部材と、
各脚部の前記第１の開口に受け入れられる第１のピボットロッドと、
各脚部の前記第２の開口に受け入れられる第２のピボットロッドと、
を備え、
前記湾曲した受け面、第１の側面、および第２の側面が、前記一対の脚部の前記第１の開口内において前記第１の表面の凹部を画定している、コンベヤベルト。
【手続補正２】
【補正対象書類名】特許請求の範囲
【補正対象項目名】請求項６
【補正方法】変更
【補正の内容】
【請求項６】
前記第１の側面および前記第２の側面が、前記湾曲した受け面の端部から接線方向に延在している、請求項１に記載のコンベヤベルト。
【手続補正３】
【補正対象書類名】特許請求の範囲
【補正対象項目名】請求項２１
【補正方法】変更
【補正の内容】
【請求項２１】
一対の脚部であって、各脚部が遠位端に第１の開口および近位端に第２の開口を有している、一対の脚部と、
前記一対の脚部を接続する接続部であって、第１の側面と第２の側面の間に湾曲した受け面を持つ接続部と、
を備え、
前記湾曲した受け面と第１の側面と第２の側面とが、前記一対の脚部の前記第１の開口を通る方向にみて、前記接続部のコーナの無い断面を画定している、リンク部材。
【手続補正４】
【補正対象書類名】特許請求の範囲
【補正対象項目名】請求項３５
【補正方法】変更
【補正の内容】
【請求項３５】
前記第１の側面および前記第２の側面が、前記湾曲した受け面の端部から接線方向に延在している、請求項２１に記載の第１の部材。
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
ケモカイン受容体ＣＸＣＲ２に対するものであるか、またはそれに結合する、２つの免疫グロブリン抗原結合ドメインを含むポリペプチドであって、
前記第１の抗原結合ドメインは、ラクダ科動物に由来する重鎖抗体の単一重鎖からの第１のＶＨＨドメインもしくはその断片に含まれるか、またはヒト化を含めて配列最適化されたその変異体であり、
前記第２の抗原結合ドメインは、ラクダ科動物に由来する重鎖抗体の単一重鎖からの第２のＶＨＨドメインもしくはその断片に含まれるか、またはヒト化を含めて配列最適化されたその変異体であり、
ポリペプチドのＣ末端は、抗原結合ドメインの配列への、少なくとも１つのさらなるアミノ酸残基の伸長部を含み；
前記ポリペプチドは、
以下の構造：
・  ＦＲ１−ＣＤＲ１−ＦＲ２−ＣＤＲ２−ＦＲ３−ＣＤＲ３−ＦＲ４−−リンカー−−ＦＲ５−ＣＤＲ４−ＦＲ６−ＣＤＲ５−ＦＲ７−ＣＤＲ６−ＦＲ８−ＥＸＴ
・  ＦＲ１−ＣＤＲ１−ＦＲ２−ＣＤＲ２−ＦＲ３−ＣＤＲ３−ＦＲ４−−リンカー−−ＦＲ５−ＣＤＲ４−ＦＲ６−ＣＤＲ５−ＦＲ７−ＣＤＲ６−ＦＲ８−−リンカー−−ＨＬＥ−ＥＸＴ
・  ＦＲ１−ＣＤＲ１−ＦＲ２−ＣＤＲ２−ＦＲ３−ＣＤＲ３−ＦＲ４−−リンカー−−ＨＬＥ−−リンカー−−ＦＲ５−ＣＤＲ４−ＦＲ６−ＣＤＲ５−ＦＲ７−ＣＤＲ６−ＦＲ８−ＥＸＴ
・  ＨＬＥ−−リンカー−−ＦＲ１−ＣＤＲ１−ＦＲ２−ＣＤＲ２−ＦＲ３−ＣＤＲ３−ＦＲ４−−リンカー−−ＦＲ５−ＣＤＲ４−ＦＲ６−ＣＤＲ５−ＦＲ７−ＣＤＲ６−ＦＲ８−ＥＸＴ
の１つを有し、式中、ＦＲ１−ＣＤＲ１−ＦＲ２−ＣＤＲ２−ＦＲ３−ＣＤＲ３−ＦＲ４が第１の抗原結合ドメインを含む場合は、ＦＲ５−ＣＤＲ４−ＦＲ６−ＣＤＲ５−ＦＲ７−ＣＤＲ６−ＦＲ８は第２の抗原結合ドメインを含み、ＦＲ１−ＣＤＲ１−ＦＲ２−ＣＤＲ２−ＦＲ３−ＣＤＲ３−ＦＲ４が第２の抗原結合ドメインを含む場合は、ＦＲ５−ＣＤＲ４−ＦＲ６−ＣＤＲ５−ＦＲ７−ＣＤＲ６−ＦＲ８は第１の抗原結合ドメインを含み、ＨＬＥはｉｎ  ｖｉｖｏ半減期の増加を提供する結合単位であり、ＥＸＴは少なくとも１つのさらなるアミノ酸残基のＣ末端伸長部であり；
前記第１の抗原結合ドメインはＣＸＣＲ２上の第１のエピトープを認識し、配列番号７に示すアミノ酸の配列からなる線状ペプチドに結合することができ、
前記第２の抗原結合ドメインはＣＸＣＲ２上の第２のエピトープを認識し、前記線状ペプチドに結合することができないか、またはより低い親和性で結合する、
ポリペプチド。
【請求項２】
Ｃ末端伸長部がＡ、ＡＡ、ＡＳ、ＡＳＴ、ＡＳＴＫＰまたはＧＧＧＳである、請求項１に記載のポリペプチド。
【請求項３】
Ｃ末端伸長部が２つのアラニン残基からなる、請求項２に記載のポリペプチド。
【請求項４】
単一可変ドメインの前記第２の免疫グロブリンにおいて、ＣＤＲ１が配列番号１４１に示すアミノ酸配列を含み、ＣＤＲ２が配列番号２３６に示すアミノ酸配列を含み、ＣＤＲ３が配列番号１８１に示すアミノ酸配列を含み、単一可変ドメインの前記第１の免疫グロブリンにおいて、ＣＤＲ４が配列番号１４６に示すアミノ酸配列を含み、ＣＤＲ５が配列番号２３７に示すアミノ酸配列を含み、ＣＤＲ６が配列番号１８６に示すアミノ酸配列を含む、請求項１〜３のいずれかに記載のポリペプチド。
【請求項５】
第１の抗原結合ドメインが、配列番号２１６、または配列番号２１６と少なくとも８０％の同一性を有するポリペプチドから選択され、第２の抗原結合ドメインが、配列番号２１７、または配列番号２１７と少なくとも８０％の同一性を有するポリペプチドから選択される、請求項４に記載のポリペプチド。
【請求項６】
配列番号２２１、および２つのアラニン残基からなるＣ末端伸長部を含む、請求項１〜３のいずれか一項に記載のポリペプチド。
【請求項７】
前記第１の抗原結合ドメインが、配列番号１のアミノ酸Ｆ１１、Ｆ１４およびＷ１５を含むエピトープに結合する、請求項１〜６に記載のポリペプチド。
【請求項８】
前記第２の抗原結合ドメインが、配列番号１のアミノ酸残基Ｗ１１２、Ｇ１１５、Ｉ２８２およびＴ２８５を含む、ＣＸＣＲ２のエピトープに結合する、請求項１〜７に記載のポリペプチド。
【請求項９】
請求項６に記載のポリペプチドで、ＣＸＣＲ２への結合を交差ブロックすることができる、請求項１〜８のいずれか一項に記載のポリペプチド。
【請求項１０】
２つのアラニン残基からなるＣ末端伸長部を有する、配列番号２２５の配列からなる、請求項１〜９のいずれか一項に記載のポリペプチド。
【請求項１１】
請求項１〜１０のいずれか一項に記載のポリペプチドをコードする核酸分子。
【請求項１２】
請求項１〜１０のいずれか一項に記載のポリペプチドおよび薬学的に許容される担体または希釈剤を含む医薬組成物。
【請求項１３】
医薬として使用するための、請求項１〜１０のいずれか一項に記載のポリペプチド。
【請求項１４】
慢性閉塞性肺疾患（ＣＯＰＤ）およびＣＯＰＤの増悪の処置において使用するための、請求項１〜１０のいずれか一項に記載のポリペプチド。
【請求項１５】
嚢胞性線維症、喘息、特に重度の喘息および喘息の増悪、急性の肺損傷、急性の呼吸窮迫症候群、特発性肺線維症、気道リモデリング、閉塞性細気管支炎症候群または気管支肺異形成の処置において使用するための、請求項１〜１０のいずれか一項に記載のポリペプチド。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
二つのチェーン駆動ユニット（１２ａ，１２ｂ）と、
前記チェーン駆動ユニット（１２ａ，１２ｂ）の間の支承ユニット（１６）と、を少なくとも備え、
前記支承ユニットは、運搬されるべき積荷（４０）のための積荷支承部（２０）と、前記積荷支承部（２０）の高さを調整するピストン（１９）をもつホイストシリンダ（１８）を有し、
前記ホイストシリンダ及びピストン（１９）は、回転がロックされて前記支承ユニット（１６）に取り付けられ、
前記積荷支承部（２０）は、前記積荷支承部（２０）と前記支承ユニット（１６）の間の回転及びスイベル運動が可能となるように、ボールソケット連結（２２，２４）により前記ホイストシリンダ（１８）に連結され、
前記積荷支承部（２０）と前記ピストン（１９）又はホイストシリンダ（１８）の間の回転角度を決定するために回転センサ（２７）が設けられている、
積荷を運搬するためのクローラー。
【請求項２】
前記ピストン（１９）は、非円形断面を用いて嵌合するように前記ホイストシリンダ（１８）に受け入れられている、
ことを特徴とする請求項１に記載のクローラー。
【請求項３】
前記回転センサ（２７）は、トルク及びスイベルに耐えるように前記ホイストシリンダ（１８）又は前記ピストン（１９）に結合された第１センサ部（２７ａ）と、トルク及びスイベルに耐えるように前記積荷支承部に結合された第２センサ部（２７ｂ）を有し、
前記第２センサ部（２７ｂ）は、前記第１センサ部（２７ａ）に対してトルク及びスイベルに耐えるように配置され、
前記回転センサ（２７）は、前記第１センサ部（２７ｂ）と前記第２センサ部（２７ａ）の間の回転角度を決定する、
ことを特徴とする請求項１又は２に記載のクローラー。
【請求項４】
連結要素が設けられ、前記連結要素は、スイベルに耐えるがセンサ部（２７ａ）に対して回動可能に、かつ、トルクに耐えるが前記他のセンサ部（２７ｂ）に対してスイベルするように配置されている、
ことを特徴とする請求項３に記載のクローラー。
【請求項５】
前記回転センサは、前記ボールソケット連結のスイベル運動とは無関係に、前記回転角度を捕えるために、カルダン継手を有する、
ことを特徴とする請求項１ないし４いずれか一つに記載のクローラー。
【請求項６】
前記ボールソケット連結は、前記ボールの嵌合支承のための固定要素（２５）を有する、
ことを特徴とする請求項１ないし５いずれか一つに記載のクローラー。
【請求項７】
前記ホイストシリンダ（１８）は、前記支持された積荷を決定するための積荷センサ及び／又は前記ストローク移動を決定する経路センサを有する、
ことを特徴とする請求項１ないし６いずれか一つに記載のクローラー。
【請求項８】
前記チェーン駆動ユニット（１２ａ，１２ｂ）の別々の作動及び前記ホイストシリンダ（１８）の作動のためのコントロールユニットが設けられている、
ことを特徴とする請求項１ないし７いずれか一つに記載のクローラー。
【請求項９】
前記コントロールユニットは、前記回転センサ（２７）及び／又は持上げセンサ及び／又は経路センサと連結されている、
ことを特徴とする請求項８に記載のクローラー。
【請求項１０】
油圧ポンプを備えた油圧システムが設けられ、
前記チェーン駆動ユニット（１２ａ，１２ｂ）上にそれぞれ油圧モータとして推進モータが設けられ、
前記推進モータ及びホイストシリンダは、前記油圧システムで操作される、
ことを特徴とする請求項１ないし９いずれか一つに記載のクローラー。
【請求項１１】
前記クローラー（１０）の相互間で及び／又は前記クローラー（１０）とヘッドコントローラとの間でセンサ値及び／又は制御コマンドを伝達するための通信装置（３８）を備え、
前記積荷支承部（２０）において支えられる共通の積荷（４０）を運搬する、請求項１ないし１０のいずれか一つに記載の複数のクローラー（１０）を備えた、
積荷を運搬するためのシステム。
【請求項１２】
前記回転角度のための制御値が前記クローラー（１０）に伝達され、
前記クローラー（１０）のコントローラは、前記積荷支承部（２０）における前記回転角度の制御値が達せられるべく前記チェーン駆動ユニット（１２ａ，１２ｂ）を作動させるように設計されている、
ことを特徴とする請求項１１に記載のシステム。
【請求項１３】
前記クローラー（１０）は、前記ホイストシリンダ（１８）の前記積荷のための積荷センサを有し、
前記ホイストシリンダ（１８）は、積荷の偏りが釣り合わされるように作動させられる、
ことを特徴とする請求項１１又は１２に記載のシステム。
【請求項１４】
前記積荷（４０）のための位置センサ（４６）が設けられ、
前記クローラー（１０）のホイストシリンダ（１８）は、前記積荷（４０）の位置が釣り合わされるように作動させられる、
ことを特徴とする請求項１１ないし１３いずれか一つに記載のシステム。
【請求項１５】
請求項１ないし８いずれか一つに記載の複数のクローラー（１０）の前記積荷支承部（２０）において、積荷（４０）が共同で支持され、
前記チェーン駆動ユニット（１２ａ，１２ｂ）の共同作動を通して前記積荷（４０）を運搬するために、制御コマンドが前記クローラー（１０）に伝達される、
積荷を運搬する方法。
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
鉄鋼構造物の大表面領域、特に、船舶やタンク設備の内部領域、のためのメンテナンス装置（１００）であって、直立キャリア（１１０）に沿って移動可能に構成された少なくとも一つのキャリアシステム（２００）を備え、前記キャリアシステム（２００）には少なくとも一つのアームシステム（３００）が取り付けられ、前記少なくとも一つのキャリアシステム（２００）は、リフトシリンダシステムによって前記直立キャリア（１１０）に沿って移動可能であり、前記直立キャリア（１１０）上には、前記少なくとも一つのキャリアシステム（２００）が係合する複数の突起（１１１，１１１’）が設けられ、前記少なくとも一つのキャリアシステム（２００）の前記リフトシリンダシステムは、互いに独立して移動可能で、かつ、そのピストンロッド（２１１，２１１’）が前記直立キャリア（１１０）の前記複数の突起（１１１，１１１’）と協働する二つのリフトシリンダ（２１０，２１０’）を有するものにおいて、
前記二つのリフトシリンダ（２１０，２１０’）の前記ピストンロッド（２１１，２１１’）は、それぞれ、前記少なくとも一つのキャリアシステム（２００）上の少なくとも一つのガイド（２１３，２１３’）に沿って移動可能に構成され、
前記ガイド（２１３，２１３’）は、好ましくは、少なくとも一つの方向転換を有し、および／又は、接続リンク状に構成されていることを特徴とするメンテナンス装置（１００）。
【請求項２】
前記複数の突起（１１１，１１１’）は、フック状に構成され、前記直立キャリア（１１０）上において互いに対して垂直にオフセット配置されている請求項１に記載のメンテナンス装置（１００）。
【請求項３】
前記直立キャリア（１１０）は、実質的に多角形の断面、好ましくは、四角形又は矩形の断面を有し、その側壁に、前記複数の突起（１１１，１１１’）が互いに対して水平方向にオフセットした状態で当該直立キャリア（１１０）の長手軸心（Ａ）に対して平行に配置されている請求項１又は２に記載のメンテナンス装置（１００）。
【請求項４】
前記少なくとも一つのキャリアシステム（２００）の前記少なくとも一つのアームシステム（３００）に、作業台（３５０）が取り付けられている請求項１〜３のいずれかに記載のメンテナンス装置（１００）。
【請求項５】
表面層を除去するための洗浄／粒状化兼用の工具、特に、水噴射および／又はサンドブラスト用の工具、噴射ランセット、又は塗装工具、を収納するための少なくとも一つの工具ホルダが前記少なくとも一つのキャリアシステム（２００）の前記少なくとも一つのアームシステム（３００）に取り付けられている請求項１〜４のいずれかに記載のメンテナンス装置（１００）。
【請求項６】
前記少なくとも一つのキャリアシステム（２００）に取り付けられた前記少なくとも一つのアームシステム（３００）は、マルチ折り曲げアームシステム、好ましくは、ニージョイントシステム、として構成されている請求項１〜５のいずれかに記載のメンテナンス装置（１００）。
【請求項７】
前記少なくとも一つのアームシステム（３００）は分割型構造とされ、当該アームシステム（３００）の前記キャリアシステム（２００）から離間する遠端部セグメント（３４０）は、少なくとも二つのスイベル軸心（Ｓ１，Ｓ２）を備え、そして、好ましくは、前記作業台（３５０）および／又は工具ホルダが前記遠端部セグメント（３４０）上に回転可能に取り付けられている請求項１〜６のいずれかに記載のメンテナンス装置（１００）。
【請求項８】
少なくとも一つのキャリアシステム（２００）、好ましくは、二つのキャリアシステムが、前記直立キャリア（２１０）に取り付けられ、各キャリアシステム（２００）が、それぞれがその遠端部セグメント（３４０）に一つの作業台（３５０）を有する少なくとも一つのアームシステム（３００）を備える請求項１〜７のいずれかに記載のメンテナンス装置（１００）。
【請求項９】
各アームシステム（３００）は、他のアームシステム（３００）から実質的に独立して移動可能である請求項８に記載のメンテナンス装置（１００）。
【請求項１０】
前記二つのキャリアシステム（２００）は、前記直立キャリア（１１０）に沿って互いに対して、依存的、又は独立的に移動可能である請求項８又は９に記載のメンテナンス装置（１００）。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
ステントを配備するステントデリバリシステムであって、前記ステントデリバリシステムは、
ステントを前進させてこれを露出させるハンドル組立体を含み、前記ハンドル組立体は、第１の親ねじ及び第２の親ねじに係合するよう構成された二重ねじ山めねじ付き親ねじを含み、
前記第１の親ねじは、前記ステントを覆っている管状エンクロージャに結合され、前記第２の親ねじは、拡張器を介して前記ステントに選択的に係合可能であり、
前記第１の親ねじと前記第２の親ねじは、前記内部親ねじの回転により互いに逆方向における前記管状エンクロージャと前記ステントの長手方向並進が生じるよう互いに逆のねじ回し方向性のものであり、
前記第１の親ねじ及び前記第２の親ねじは、前記ステントを配備するよう所定の繰り出し比での前記管状エンクロージャと前記ステントの同期された互いに逆向きの長手方向並進を生じさせるそれぞれのピッチを有する、ステントデリバリシステム。
【請求項２】
前記第１及び前記第２の親ねじの前記並進は、前記ステントを前記管状エンクロージャから少なくとも実質的に同時に露出させて前記ステントを軸方向に圧縮する、請求項１記載のステントデリバリシステム。
【請求項３】
前記ハンドル組立体は、前記ステントの第１の端部と機械的連絡状態にあり且つ前記ステントの第２の端部に対して独立して動くことができるステントコンプレッサを更に含み、前記ステントコンプレッサの運動は、前記第１及び前記第２の親ねじとは無関係であり且つ前記ステントの軸方向圧縮及び半径方向拡張に対応している、請求項１記載のステントデリバリシステム。
【請求項４】
前記ステントコンプレッサは、前記ハンドル組立体に設けられた１つ又は２つ以上の別個の係止部分に選択的に係合するよう構成され、各係止部分は、ステント圧縮度に対応している、請求項３記載のステントデリバリシステム。
【請求項５】
前記ハンドル組立体は、前記ステントの第１の端部と機械的連絡状態にあり且つ前記ステントの第２の端部に対して独立して動くことができるステントコンプレッサを更に含み、前記ステントコンプレッサの運動は、前記第１及び前記第２の親ねじとは無関係であり且つ前記ステントの軸方向圧縮及び半径方向拡張に対応しており、前記ステントデリバリシステムは、
少なくとも、前記ステントの前記第１の端部を拘束するトップキャップと、
前記トップキャップと機械的連絡状態にあるトップキャップスライダとを更に含む、請求項１記載のステントデリバリシステム。
【請求項６】
前記ステントコンプレッサ及び前記トップキャップスライダに選択的に結合されたスライダカラーを更に含み、前記トップキャップは、前記ステントコンプレッサからの一定の長手方向オフセット状態で選択的に係止されるようになっている、請求項５記載のステントデリバリシステム。
【請求項７】
前記ステントの所定の部分が前記管状エンクロージャから露出されるまで前記第２の親ねじと前記ステントとの機械的連絡を遅延させるよう構成された遅延システムを更に含む、請求項１記載のステントデリバリシステム。
【請求項８】
前記第２の親ねじは、カプラ係合面を有し、前記ステントデリバリシステムは、前記ステントと機械的連絡状態にあるカプラを更に含み、前記カプラは、前記第２の親ねじの前記カプラ係合面とインターフェースするよう構成された当接面を有する、請求項７記載のステントデリバリシステム。
【請求項９】
前記遅延システムは、前記カプラの前記当接面と前記第２の親ねじの前記カプラ係合面との間の長手方向オフセットを含む、請求項８記載のステントデリバリシステム。
【請求項１０】
前記第２の親ねじは、前記ステントの近位端部と機械的連絡状態にあるよう構成され、前記ハウジング組立体の一部分を前記長手方向軸線回りに回すと、前記第１の親ねじは、前記管状エンクロージャを近位側の方向に引き、前記第２の親ねじは、前記ステントの前記近位端部を遠位側の方向に押し、前記第１及び前記第２の親ねじの並進は、前記ステントの遠位端部の軸方向位置を制御するよう規定されている、請求項１記載のステントデリバリシステム。
【請求項１１】
前記第１及び前記第２の親ねじの前記並進は、前記ステントの前記遠位端部の前記軸方向位置を大動脈内に実質的に維持するよう構成されている、請求項１０記載のステントデリバリシステム。
【請求項１２】
前記第２の親ねじは、前記ステントの遠位端部と機械的連絡状態にあるよう構成され、前記ハウジング組立体の一部分を前記長手方向軸線回りに回すと、前記第１の親ねじは、前記管状エンクロージャを遠位側の方向に押し、前記第２の親ねじは、前記ステントの前記遠位端部を近位側の方向に引き、前記第１及び前記第２の親ねじの並進は、前記ステントの近位端部の軸方向位置を制御するよう規定されている、請求項１記載のステントデリバリシステム。
【請求項１３】
前記所定の繰り出し比は、少なくとも部分的に前記ステントのねじれ角に基づいている、請求項１記載のステントデリバリシステム。
【請求項１４】
第１の親ねじ移動速度と第２の親ねじ移動速度の前記所定の繰り出し比は、約１：１〜２：１である、請求項１記載のステントデリバリシステム。
【請求項１５】
第１の親ねじ移動速度と第２の親ねじ移動速度の前記所定の繰り出し比は、約１．５：１である、請求項１記載のステントデリバリシステム。